(57)【要約】【課題】人の顔の輪郭形状にかかわらずマスクと顔面との密着性に優れ、マスクを着用した状態において好印象の見栄えを得られる衛生用マスクを提供する。【解決手段】衛生マスク１０は、山折部と谷折部とを設けて構成される襞部２５−２８が折り畳まれている状態では平面多辺形形状に形成されていて拡げられることによってドーム状に変形されるマスク本体１１と、マスク本体１１の上縁部１６に設けられた第１固定部１４Ｌ、１４Ｒ、及び、下縁部１７に設けられた第２固定部１５Ｌ、１５Ｒに耳紐が固定される左右一対の耳掛部１２と、マスク本体１１の下縁部１７を構成する同じ角度で傾斜した第１傾斜部１７Ｌ及び第２傾斜部１７Ｒと、を備え、マスク本体１１の第１左固定部１４Ｌから第１右固定部１４Ｒまでの長さＡとマスク本体の第２左固定部１５Ｌから第２右固定部１５Ｒまでの長さＢとの間に、０．８５≦Ｂ／Ａ≦１．０５の関係が設定されている。【選択図】図２
2019019435.tif 000002
【特許請求の範囲】
【請求項１】
不織布単層または複数の不織布を積層して構成されていて長手方向に沿った山折部と谷折部とを設けて構成される襞部を該長手方向に直交する短手方向に並設した、当該襞部が折り畳まれている状態では平面多辺形形状に形成されていて拡げることによって前記平面多辺形形状がドーム状に変形される、マスク本体と、
前記マスク本体の上縁部の左側端部と右側端部とにそれぞれ設けられた第１固定部、及び、前記マスク本体の下縁部の左側端部と右側端部とにそれぞれ設けられた第２固定部、に耳紐の各端部がそれぞれ固定される左右一対の耳掛部と、
前記マスク本体の下縁部を構成する同じ角度で傾斜した第１傾斜部及び第２傾斜部と、
を備え、
前記マスク本体の上縁部左側第１固定部の中心から上縁部右側第１固定部の中心までの長さＡと、前記マスク本体の下縁部左側第２固定部の中心から下縁部右側第２固定部の中心までの長さＢと、の間に
０．８５≦Ｂ／Ａ≦１．０５    の関係を
設定したことを特徴とする衛生マスク。
【請求項２】
前記複数の襞部が短手方向に並設される前記マスク本体は、
複数の襞部を互いに重畳した状態で上下シール線によって接合される右縁部及び左縁部にそれぞれ設けられる前記第１固定部の中心から前記第２固定部の中心までの短手方向長さＣと、前記複数の襞部を前記ドーム状に拡げたとき長手方向中央における前記上縁部から前記下縁部までの展開縦長さＤと、の間に
２．７≦Ｄ／Ｃ≦４．７    の関係を
設定したことを特徴とする請求項１に記載の衛生マスク。
【請求項３】
前記下縁部の第１傾斜部と第２傾斜部とは、該下縁部を含む板状部に当該下縁部の中央から前記左縁部に向かうように形成される第１の折り畳み部と、前記下縁部の中央から前記右縁部に向かうように形成される第２の折り畳み部と、を形成することによって設けられることを特徴とする請求項１に記載の衛生マスク。
【請求項４】
前記左縁部及び前記右縁部にそれぞれ設けられている上下シール線の下端側に、前記第１の折り畳み部あるいは前記第２の折り畳み部を構成するための、タック固定部を設けることを特徴とする請求項３に記載の衛生マスク。
【請求項５】
前記耳掛部の耳紐は、前記マスク本体の表面に配置されて該耳紐の各端部がそれぞれ対応する固定部に固定されることを特徴とする請求項１に記載の衛生マスク。
【発明の詳細な説明】
【技術分野】
【０００１】
本発明は、衛生用マスクに関する。
【背景技術】
【０００２】
衛生用マスク（以下、マスクと略記する）には、冷気や乾燥から鼻やのどを守る、あるいは、空気中の浮遊物が体内に取り込まれるのを防ぐ、あるいは、口や鼻からの分泌物を撒き散らすのを防ぐ、等の効用がある。
【０００３】
現在において、マスクは、長方形形状の不織布タイプが一般的である。不織布タイプのマスクでは、マスク本体の前面に長辺方向（長手方向とも記載する）に沿って複数のプリーツ（襞とも記載する）が設けられている。
【０００４】
ユーザーは、マスク本体にプリーツが設けられたマスクを着用する際、一対の耳掛部をそれぞれ右耳、左耳に掛けると共に、マスク本体の長辺方向中央部分を摘まんで縦方向である上下方向に引っ張る。すると、閉じた状態のプリーツが徐々に拡げられ、マスク本体の形状が平面長方形形状からドーム状に変化する。
【０００５】
図１Ａに示すようマスク１のマスク本体２がドーム状になることによって、マスク１を着用した状態においてユーザーの鼻および口元に破線に示すような空間Ｓが得られる。この結果、ユーザーは、呼吸がし易く、且つ、蒸れなどの不快感が軽減される。
【０００６】
なお、符号３は耳掛部である。耳掛部３の一端は、それぞれマスク本体２の長辺と短辺との交叉点近傍であって上縁部１Ｕ側の上端固定部２ｕ、該交叉点近傍であって下縁部１Ｄ側の下端固定部２ｄに固定されている。
【０００７】
人の顔を正面から見たとき、顔の輪郭は、左右の耳付け根下部から顎の先端に行くにしたがって左右幅が小さく（狭く）なる略Ｖ字形状が一般的であり、例えば図１Ｂの実線で示す第１の輪郭Ｏ１である。
【０００８】
しかしながら、人の顔の輪郭は、図１Ｂの破線で示すように顔の幅が実線で示した第１の輪郭Ｏ１に比べて全体的に小さな第２の輪郭Ｏ２、あるいは、二点鎖線で示すように左右方向の幅が中央付近では実線で示した第１の輪郭Ｏ１と略同じであるが顎にかけてその幅が幅狭になる第３の輪郭Ｏ３、あるいは、第１の輪郭Ｏ１に比べて全体的に大きな輪郭（不図示）等、様々である。
【０００９】
このため、図１Ｃに示すように破線に示す例えば第２の輪郭Ｏ２のユーザーにおいては、マスク本体２を着用した際、マスク本体２の左下部２ＬＤ及び右下部２ＲＤが輪郭線４よりはみ出してしまう場合がある。
【００１０】
このように、マスク本体２の左下部２ＬＤ及び右下部２ＲＤがユーザーの輪郭線４よりはみ出ると、マスク本体２が顔から浮いた状態になる。この結果、マスク１を着用したユーザーの顔が実際よりも大きく見えてしまう。言い換えれば、マスク本体２が輪郭線４よりはみ出してしまうことによって、ユーザーの見た目の印象がマスク着用前と着用後とで大きく変わってしまう。
【００１１】
このため、マスク愛用者からは、マスクを着用した状態においても、すっきりとした顔の印象を与えるマスクが望まれている。
【００１２】
特許文献１には、覆い部の側縁部や下縁部の顔からのはみ出しが低減され、装着者の顔が小さく見え、美観に優れた衛生マスクが開示されている。この衛生マスクは、口と鼻とを覆う覆い部と、その覆い部の両側部から延び出して耳に掛けられる２つの耳掛部と、を備えている。
【００１３】
覆い部は、四角形の素材に横方向（本願の長手方向に対応）に延びる複数のヒダが形成されるとともに、横長の長方形の両下角部が左右対称に切除されることにより、直線的に延びる下端縁の長さが前記長方形の長さの８０％以下、５０％以上とされたものに相当する形状を有し、前記複数のヒダの各々の両端部においてヒダの側壁同士が接合されて成る２つの伸びない側縁部を備え、それら２つの伸びない側縁部の下部が、前記覆い部の、前記両下角部が切除されることにより形成されたものに相当する両下角部縁にほぼ平行に延びる状態に曲げられることにより、それら２つの伸びない側縁部の間隔が下ほど狭くなる状態とされ、かつ、前記２つの耳掛部の各両端は、前記覆い部の上隅と下隅とに接合されている。  
【先行技術文献】
【特許文献】
【００１４】
【特許文献１】特許５２８０９４３号公報
【発明の概要】
【発明が解決しようとする課題】
【００１５】
しかしながら、上記特許文献１に開示された衛生マスクでは、プリーツを閉じた状態において覆い部の両下角部を切除して、人の顔の左右の耳付け根下部から顎の先端に行くにしたがって左右幅が小さくなる輪郭形状と略同様な形状にしたうえで、耳掛部上部の位置が長辺両端側である一方、耳掛部下部の位置が長辺中央側、即ち顎先端側に位置ずれされている。このように耳掛部下部の位置が長辺中央側に位置ずれされると従来使用されていた耳紐に比べて長さが長くなって不経済である。
【００１６】
また、耳掛部上部と耳掛部下部とを結ぶ仮想線から外側のマスク本体部分は、顔から浮きを生じるが、耳掛部下部を長辺中央側で溶着していることによってマスク本体の顔から浮く部分が多くなる。その浮いた部分を切除し、さらにマスク本体の左右幅が小さくなる形状にすると、輪郭が大きいユーザーが着用した場合、マスク本体から顔がはみ出てしまうおそれがあり、その場合には目的となっていたすっきりとした顔の印象を得られなくなる。
【００１７】
なお、耳紐の長さが長くなることを防止するため、耳掛部下部の位置を下端部より上側の両端にした場合、この耳掛部下部から顎先端側のマスク本体が浮いて密着状態が不十分になる。
【００１８】
本発明は上述した事情に鑑みてなされたものであって、人の顔の輪郭形状にかかわらずマスクと顔面との密着性に優れ、マスクを着用した状態において好印象の見栄えを得られる衛生用マスクを提供することを目的にしている。
【課題を解決するための手段】
【００１９】
本発明の一態様の衛生マスクは、不織布単層または複数の不織布を積層して構成されていて長手方向に沿った山折部と谷折部とを設けて構成される襞部を該長手方向に直交する短手方向に並設した、当該襞部が折り畳まれている状態では平面多辺形形状に形成されていて拡げることによって前記平面多辺形形状がドーム状に変形される、マスク本体と、前記マスク本体の上縁部の左側端部と右側端部とにそれぞれ設けられた第１固定部、及び、前記マスク本体の下縁部の左側端部と右側端部とにそれぞれ設けられた第２固定部、に耳紐の各端部がそれぞれ固定される左右一対の耳掛部と、前記マスク本体の下縁部を構成する同じ角度で傾斜した第１傾斜部及び第２傾斜部と、を備え、前記マスク本体の上縁部左側第１固定部の中心から上縁部右側第１固定部の中心までの長さＡと、前記マスク本体の下縁部左側第２固定部の中心から下縁部右側第２固定部の中心までの長さＢと、の間に、
０．８５≦Ｂ／Ａ≦１．０５    
の関係を設定している。
【発明の効果】
【００２０】
本発明によれば、人の顔の輪郭形状にかかわらずマスクと顔面との密着性に優れ、マスクを着用した状態において好印象の見栄えを得られる衛生用マスクを実現できる。
【図面の簡単な説明】
【００２１】
【図１Ａ】ドーム状に拡げることによって鼻および口元に空間が得られるマスクを説明する図
【図１Ｂ】マスクを着用するユーザーの顔の輪郭例を説明する図
【図１Ｃ】顔の輪郭線からはみ出るマスク本体を着用したユーザーを正面から見た図
【図２】本発明の衛生マスクの構成例を説明する図
【図３Ａ】タックを形成する前の状態のマスク本体を説明する図
【図３Ｂ】図３Ａのマスク本体の短手方向に並設された襞部等を説明する図
【図４】襞部を上下方向に拡げてドーム形状に変形された衛生用マスクのマスク本体を説明する図
【図５】衛生用マスクを着用したユーザーを横から見た図
【図６】衛生用マスクを着用したユーザーを正面から見た図
【図７Ａ】マスク本体の他の構成例を説明する図
【図７Ｂ】図７Ａのマスク本体の短手方向に並設された襞部を説明する図
【図７Ｃ】マスク本体の別の構成例を説明する図
【図７Ｄ】図７Ｃのマスク本体の短手方向に並設された襞部を説明する図
【図７Ｅ】マスク本体のまた他の構成例を説明する図
【図７Ｆ】図７Ｅのマスク本体の短手方向に並設された襞部を説明する図
【図８Ａ】マスク本体に設ける襞部の数を多くした構成例を説明する図
【図８Ｂ】マスク本体に設けるタックの折り畳み量を大きくした構成例を説明する図
【発明を実施するための形態】
【００２２】
以下に、本発明の好ましい形態について図面を参照して説明する。  
【００２３】
なお、以下の説明に用いる各図において、各構成要素を図面上で認識可能な程度の大きさとするため、構成要素毎に縮尺が異なる場合がある。本発明は、これらの図に記載された構成要素の数量、構成要素の形状、構成要素の大きさの比率、および各構成要素の相対的な位置関係のみに限定されるものではない。  
【００２４】
また、以下の説明においては、図の紙面に向かって見た上下左右方向を構成要素の上方、下方、左方、および、右方として説明している。
【００２５】
図２を参照して本発明の衛生用マスク（以下、マスクと略記する）１０を説明する。  
【００２６】
図２に示すマスク１０は、例えば、空気中の浮遊物を体内に取り込むこと防ぐため、あるいは、口や鼻から分泌物を撒き散らすことを防ぐため、等に使用される。
【００２７】
マスク１０は、マスク本体１１と、２つの耳掛部１２と、を備えている。マスク本体１１は、不織布単層または２層以上の複数の不織布から形成されている。具体的に、本実施形態においてマスク本体１１は例えば三層であって、口元側に設けられるスパンボンド不織布と、中間に設けられるメルトブロー不織布と、外側に設けられるスパンボンド不織布と、を積層して形成されている。
【００２８】
三層の不織布の上方（符号１６の上縁部）側及び下方（符号１７の下縁部）側は、Ｘ軸と平行に長手方向（左右方向ともいう）に延びる断続的な複数の左右シール線１３によって接合されている。左右シール線１３は、超音波溶着機などによって溶着加工して設けられる。
【００２９】
なお、マスク本体１１は、上述した三層に限定されるものでは無く、種々の不織布を適宜組み合わせて積層されて構成される。また、マスク本体１１は、通気性などを考慮した一種類の不織布を複数積層した構成であってもよい。
【００３０】
耳掛部１２は、耳掛け紐である例えば一対のゴム紐等をマスク本体１１の左右に設けて構成されている。２つの耳掛部１２の各端部は、それぞれマスク本体１１の外方側の表面上に配置した状態において、左側部（符号１９の左縁部）および右側部（符号１８の右縁部）に設けられている第１固定部１４、第２固定部１５にそれぞれ一体的に固定されている。なお、第１固定部１４及び第２固定部１５は、超音波溶着機などで溶着加工されて設けられる溶着部である。
【００３１】
本実施形態において、第１固定部１４は、上縁部１６の左縁部１９側に設けられる上縁部左側第１固定部（以下、第１左固定部と略記する）１４Ｌと、右縁部１８側に設けられる上縁部右側第１固定部（以下、第１右固定部と略記する）１４Ｒと、である。
【００３２】
これに対して、第２固定部１５は、下縁部１７の左縁部１９側に設けられる下縁部左側第２固定部（以下、第２左固定部と略記する）１５Ｌと、右縁部１８側に設けられる下縁部右側第２固定部（以下、第２右固定部と略記する）１５Ｒと、である。
【００３３】
また、マスク本体１１には、例えば符号２０、２１、２２、２３、２４に示す板状部（以下、板と記載している）が設けられている。  
【００３４】
符号２０は中心板、符号２１は第１下方板、符号２２は第２下方板、符号２３は第３下方板、符号２４は上方板である。つまり、マスク本体１１は、上縁部１６側から順に上方板２４、中心板２０、第１下方板２１、第２下方板２２、第３下方板２３を有している。
【００３５】
上方板２４には上述した第１左固定部１４Ｌ、第１右固定部１４Ｒが設けられると共に、ノーズフィッター３１が配設される。ノーズフィッター３１は、例えば樹脂製の薄板から形成されている。ユーザーである着用者が鼻と口を覆うようにマスク１０を着用した際、ノーズフィッター３１を調整しつつ変形させることによって、マスク本体１１の上縁部１６が着用者の鼻の凹凸形状に沿う形状を維持して密着する。
【００３６】
ノーズフィッター３１は、マスク本体１１の上方板２４に設けられたシール線１３の間の不織布間に設けられた空間内に配設されている。なお、ノーズフィッター３１が長手方向に位置ずれすることを防止するため、ノーズフィッター３１の両側部には空間を閉塞する一対のシール部（不図示）が設けられている。このシール部も超音波溶着機などによる溶着加工によって設けられる。
【００３７】
第３下方板２３は下縁部１７を含み、第３下方板２３には下縁部１７を構成する第１傾斜部１７Ｌ及び第２傾斜部１７Ｒを有するタック４１、４２が設けられている。  
【００３８】
したがって、本実施形態において、マスク本体１１の平面形状は、上縁部１６と、右縁部１８と、左縁部１９と、下縁部１７を構成する第１傾斜部１７Ｌ及び第２傾斜部１７Ｒと、を有する平面多辺形形状、いわゆる平面五辺形形状（平面五角形形状ともいう）である。
【００３９】
上述したマスク本体１１は、マスク部材１１０を加工して構成される。図３Ａに示すようにマスク部材１１０は、第１傾斜部１７Ｌ及び第２傾斜部１７Ｒが設けられる以前の下縁部１７と、上縁部１６と、右縁部１８と、左縁部１９と、を有する四辺形形状、即ち、予め定めた大きさの長方形である。  
【００４０】
図３Ａに示すようにマスク部材１１０には中心板２０、第１下方板２１、第２下方板２２、第３下方板２３、上方板２４が設けられ、該下方板２３に第１タック４１及び第２タック４２が設けられるようになっている。
【００４１】
図３Ａ、図３Ｂを参照して中心板２０、第１下方板２１、第２下方板２２、第３下方板２３、上方板２４、第１タック４１及び第２タック４２について説明する。  
【００４２】
中心板２０、第１下方板２１、第２下方板２２、第３下方板２３、上方板２４は、Ｘ軸に沿った山折部と谷折部とを設けて折り畳んで形成される複数の襞部（プリーツともいう）２５、２６、２７、２８を短手方向であるＹ軸方向に並設している。
【００４３】
中心板２０は、Ｘ軸に沿って延びて相対する山折上端縁Ｍｕと山折第１下端縁Ｍｄ１とに挟まれた面部である。なお、本実施の形態の記載では、マスク本体１１を展開して図４に示すようにドーム状にした際、４つの襞部２５，２６，２７，２８を着用者の側方から見て、外側に山形状と谷形状とを形成する折目に基づいて山折部、谷折部、を定義している。
【００４４】
上述した上方板２４は、中心板２０の上方側に位置し、第１襞部２５のＸ軸に沿って延びる谷折下端縁Ｖｄと上縁部１６とに挟まれた面部である。谷折下端縁Ｖｄを含む上方板２４の下方側一部分は着用側において中心板２０に重畳している。
【００４５】
第１下方板２１は、中心板２０の下方側に位置し、第２襞部２６のＸ軸に沿って延びる谷折第１上端縁Ｖｕ１と山折第２下端縁Ｍｄ２とに挟まれた面部である。谷折第１上端縁Ｖｕ１を含む第１下方板２１の上方側一部分は着用側において中心板２０に重畳している。
【００４６】
第２下方板２２は、第１下方板２１の下方側に位置し、第３襞部２７のＸ軸に沿って延びる谷折第２上端縁Ｖｕ２と山折第３下端縁Ｍｄ３とに挟まれた面部である。谷折第２上端縁Ｖｕ２を含む第２下方板２２の上方側一部分は着用側において第１下方板２１に重畳している。
【００４７】
第３下方板２３は、第２下方板２２の下方側に位置し、第４襞部２８のＸ軸に沿って延びる谷折第３上端縁Ｖｕ３と下縁部１７とに挟まれた面部である。谷折第３上端縁Ｖｕ３を含む第３下方板２３の上方側一部分は着用側において第２下方板２２に重畳している。
【００４８】
第３下方板２３の右縁部１８側及び左縁部１９側の予め定めた位置にはそれぞれ第１タック４１、第２タック４２を設けるためのタック用スポット４３ａ、４３ｂ、４３ｃが設けられている。
【００４９】
なお、符号４５は上下シール線であって、超音波溶着機などによって溶着加工して設けられる断続的にＹ軸と平行な縦方向（上下方向とも記載する）に設けられている。上下シール線４５は、上述した板２４，２０，２１，２２，２３の襞部２５，２６，２７，２８が互いに重畳した状態の右縁部１８側及び左縁部１９を接合している。
【００５０】
ここで、Ｘ軸は、第１左固定部１４Ｌの中心ｃ１４Ｌと第２左固定部１５Ｌの中心ｃ１５Ｌと結ぶ第１短手線分Ｓ１の第１中点ｃ１と、第１右固定部１４Ｒの中心ｃ１４Ｒと第２右固定部１５Ｒの中心ｃ１５Ｒとを結ぶ第２短手線分Ｓ２の第２中点ｃ２とを通過する線である。
【００５１】
これに対して、Ｙ軸は、第１左固定部１４Ｌの中心ｃ１４Ｌと第１右固定部１４Ｒの中心ｃ１４Ｒと結ぶ第１長手線分Ｌ１の第３中点ｃ３と、第２左固定部１５Ｌの中心ｃ１５Ｌと第２右固定部１５Ｒの中心ｃ１５Ｒとを結ぶ第２長手線分Ｌ２の第４中点ｃ４とを通過する線である。
【００５２】
そして、Ｘ軸は、第３中点ｃ３と第４中点ｃ４とを結ぶ線分の二等分線である。  
【００５３】
第１長手線分Ｌ１の長さと第２長手線分Ｌ２の長さとは同寸法であってＡである。一方、第１短手線分Ｓ１の長さと第２短手線分Ｓ２の長さとは同寸法であってＳである。
【００５４】
なお、上述した上縁部１６から中心ｃ１４Ｌまでの距離、左縁部１９から中心ｃ１４Ｌまでの距離、上縁部１６から中心ｃ１４Ｒまでの距離、右縁部１８から中心ｃ１４Ｒまでの距離、下縁部１７から中心ｃ１５Ｌまでの距離、左縁部１９から中心ｃ１５Ｌまでの距離、下縁部１７から中心ｃ１５Ｒまでの距離、右縁部１８から中心ｃ１５Ｒまでの距離は、略同寸法に設定してある。
【００５５】
ここで、第１タック４１及び第２タック４２について説明する。  
【００５６】
第３下方板２３に予め定めた形態の谷折部と山折部とを設けて構成される折り畳み量が予め定められた折り畳み部である第１タック４１及び第２タック４２が設けられる。図３Ａに示す符号Ｖ１、Ｖ２は谷折線であり、符号Ｍ１、Ｍ２は山折線である。
【００５７】
第３下方板２３に谷折線Ｖ１、Ｖ２に沿って谷折部を設け、その後、山折線Ｍ１、Ｍ２に沿って山折部を設けて折り畳み部を形成し、その後、超音波溶着機などによって図２に示すように上下シール線の下端側にそれぞれタック用固定部４４を設ける。すると、第３下方板２３に設けられているタック用スポット４３ａ、４３ｂ、４３ｃが固定状態になって、該第３下方板２３に２つのタック４１、４２が形成される。
【００５８】
図２に示すように第１タック４１は、Ｙ軸より左縁部１９側に設けられ、第２タック４２はＹ軸より右縁部１８側に設けられる。そして、第１タック４１は、Ｙ軸に対して角度θ傾いた第１傾斜部１７Ｌを有し、第２タック４２はＹ軸に対して角度θ傾いた第２傾斜部１７Ｒを有している。
【００５９】
したがって、第３下方板２３に予め定めた形状の第１タック４１、第２タック４２を設けることによって、下縁部１７の位置が上縁部１６側に引き上げられると共に、該下縁部１７にはＹ軸を挟んで角度θ傾いた第１傾斜部１７Ｌ及び第２傾斜部１７Ｒが設けられて、該下縁部１７が顎の輪郭に近づいた略Ｖ字形状になる。
【００６０】
なお、第３下方板２３に第１タック４１及び第２タック４２を設けたことによって、第２左固定部１５Ｌの中心ｃ１５Ｌから第２右固定部１５Ｒの中心ｃ１５Ｒまでの長さが図３Ａに示す寸法Ａから図２に示す寸法Ｂに縮まる。
【００６１】
また、上述した実施形態において、第３下方板２３に第１タック４１及び第２タック４２を設ける際、第１左固定部１４Ｌの中心ｃ１４Ｌから第２左固定部１５Ｌの中心ｃ１５Ｌまでの長さを寸法Ｓから寸法Ｃに設定し、第１右固定部１４Ｒの中心ｃ１４Ｒから第２右固定部１５Ｒの中心ｃ１５Ｒまでの長さも寸法Ｓから寸法Ｃに縮まる。
【００６２】
この結果、図２に示したマスク本体１１を備えるマスク１０が構成される。このように構成されたマスク本体１１は、第１襞部２５、第２襞部２６、第３襞部２７、第４襞部２８を展開することによって、図４に示すドーム状に変形される。ドーム状に展開されたときのマスク本体１１の展開縦長さはＤである。
【００６３】
展開縦長さＤは、上縁部１６の中央部から下縁部１７の中央である第１傾斜部１７Ｌと第２傾斜部１７Ｒとの交差部に至る長さである。
【００６４】
本実施形態においては、上述した上縁部１６の長さＡと下縁部１７の長さＢとの間に  
０．８５≦Ｂ／Ａ≦１．０５    （１）
の関係を設定している。ここで、例えば長さＡが１５５ｍｍで、長さＢが１５２ｍｍであり、Ｂ／Ａ＝１５２／１５５＝０．９８である。  
【００６５】
なお、長さＡが１５５ｍｍで、長さＢが１３８ｍｍのときＢ／Ａは０．８９になる。このように長さＢを１３８ｍｍに設定する場合、第１タック４１、第２タック４２に加えて図示は省略するがＹ軸に略沿った山折部と谷折部とを設けて折り畳んで形成される１つ又は複数の縦プリーツを設け、長さＢを調整する。
【００６６】
また、上述した第１左固定部１４Ｌの中心ｃ１４Ｌから第２左固定部１５Ｌの中心ｃ１５Ｌまでの長さ及び第１右固定部１４Ｒの中心ｃ１４Ｒから第２右固定部１５Ｒの中心ｃ１５Ｒまでの長さＣと展開長さＤとの間に
２．７≦Ｄ／Ｃ≦４．７    （２）
の関係を設定している。ここで、例えば長さＣが５９ｍｍ、長さＤが１６０ｍｍである。
【００６７】
上述のように構成されたマスク本体１１がドーム状に拡げられたマスク１０を、ユーザー５０が図５、図６に示すように着用する。  
【００６８】
ここで、ユーザー５０は、例えば上述した第２の輪郭Ｏ２である。
【００６９】
図５に示す着用状態において、上記（２）の関係が設定されていることによって、中心板２０がドーム状の頂上部を構成し、口元の前面に第１下方板２１、第２下方板２２及び第２下方板２３の一部が配置されて空間Ｓを十分に確保できる。
【００７０】
また、上記（１）の関係が設定されていることによって、耳紐の長さを従来と変更させること無く、第１のタック４１が形成する第１傾斜部１７Ｌ、第２のタック４２が形成する第２傾斜部１７Ｒとで略Ｖ字形状に形成された下縁部１７がユーザーの５０輪郭５１に沿って顎先端側から喉方向に沿って密着して配置される。  
【００７１】
これらの結果、右縁部１８及び左縁部１９が僅かに湾曲した「し」の字形状になって頬上に密着して配置される。つまり、展開状態のマスク本体１１の上縁部１６、下縁部１７の傾斜部１７Ｌ、１７Ｒ、右縁部１８、及び左縁部１９が顔面に密着して配置される。
【００７２】
このため、微粒子の吸い込み等を防ぐことができると共に、マスクを着用したユーザーを正面から見たときに該ユーザーがマスクをすることによって見た目が実際の顔より大きな印象を与える不具合が解消するため、すっきりとした顔の印象を与えるマスクを提供することができる。  
【００７３】
また、マスク本体１１の第１下方板２１、第２下方板２２及び第３下方板２３の一部を配置させて口元に十分な空間Ｓが形成されるので、着用者は呼吸や会話がし易い。
【００７４】
なお、上述した実施形態においてマスク本体１１は、上縁部１６側から順に上方板２４、中心板２０、第１下方板２１、第２下方板２２、第３下方板２３を有している。しかし、図７Ａ、図７Ｂに示すように上縁部１６側から順に第１上方板６１、第２上方板６２、中心板２０、第１下方板２１、第２下方板２２を有するマスク本体１１Ａを構成し、上記（１）、（２）の関係を設定してもよい。
【００７５】
本実施形態において、第２下方板２２は下縁部１７を含み、第２下方板２２に下縁部１７を構成する第１傾斜部１７Ｌ及び第２傾斜部１７Ｒを有するタック４１、４２が設けられる。その他の構成は上述した実施形態と同様であり、同部材には同符号を付して説明を省略している。  
【００７６】
この構成によれば、上述したマスク本体１１と同様な作用及び効果を得ることができる。
【００７７】
また、図７Ｃ、７Ｄに示すように上縁部１６側から順に第１上方板６１、第２上方板６２、第３上方板６３、中心板２０、第１下方板２１を有するマスク本体１１Ｂを構成し、上記（１）、（２）の関係を設定してもよい。
【００７８】
本実施形態において、第１下方板２１は下縁部１７を含み、第１下方板２１に下縁部１７を構成する第１傾斜部１７Ｌ及び第２傾斜部１７Ｒを有するタック４１、４２が設けられる。その他の構成は上述した実施形態と同様であり、同部材には同符号を付して説明を省略している。  
【００７９】
この構成によれば、上述したマスク本体１１と同様な作用及び効果を得ることができる。
【００８０】
また、図７Ｅ、７Ｆに示すように中心板２０を設けること無く上縁部１６側から順に第１板状部６４、第２板状部６５、第３板状部６６、第４板状部６７、第５板状部６８を有するマスク本体１１Ｃを構成し、上記（１）、（２）の関係を設定してもよい。
【００８１】
本実施形態において、第５板状部６８は下縁部１７を含み、第５板状部６８に下縁部１７を構成する第１傾斜部１７Ｌ及び第２傾斜部１７Ｒを有するタック４１、４２が設けられる。その他の構成は上述した実施形態と同様であり、同部材には同符号を付して説明を省略している。  
【００８２】
この構成によれば、上述したマスク本体１１と同様な作用及び効果を得ることができる。
【００８３】
なお、図７Ｆでは上縁部１６側の第１板状部６４を最外面側に配置している。しかし、図示は省略するが上縁部１６側から順に第１板状部６４、第２板状部６５、第３板状部６６、第４板状部６７、第５板状部６８を設けてマスク本体１１Ｃを構成する際、図７Ｆとは逆に第５板状部６８を最外面にして第１板状部６４を最内面側に配置するようにしてもよい。
【００８４】
上述した実施形態においては、マスク本体１１の襞部の数を４つにしている。しかし、襞部の数は４つに限定されるものでは無く５つ、６つ等であってもよい。例えば図８Ａに示すように上縁部１６側から順に第１上方板７６、中心板７０、第１下方板７１、第２下方板７２、第３下方板７３、第４下方板７４、第５下方板７５を有して襞部が６つのマスク本体１１Ｄを構成し、上記（１）、（２）の関係を設定してもよい。
【００８５】
本実施形態において、第５下方板７５は下縁部１７を含み、第５下方板７５に下縁部１７を構成する第１傾斜部１７Ｌ及び第２傾斜部１７Ｒを有するタック４１、４２が設けられる。また、本実施形態のマスク本体１１Ｄは、上述したマスク本体１１、１１Ａ−１１Ｃに比べて板状部が２つ多く設けられている。
【００８６】
したがって、第１左固定部１４Ｌの中心ｃ１４Ｌから第２左固定部１５Ｌの中心ｃ１５Ｌまでの長さ及び第１右固定部１４Ｒの中心ｃ１４Ｒから第２右固定部１５Ｒの中心ｃ１５Ｒまでの長さＣを例えば５９ｍｍから上記（２）の関係を満たす範囲内の例えば３４ｍｍに設定してある。その他の構成は上述した実施形態と同様であり、同部材には同符号を付して説明を省略している。
【００８７】
この構成によれば、襞部が６つの場合であっても上述したマスク本体１１と同様な作用及び効果を得ることができる。
【００８８】
なお、板状部を１１、１１Ａ−１１Ｃに比べて１つだけ多く設けた場合には長さＣを上記（２）の関係を満たす５９ｍｍと３４ｍｍとの間の例えば４３ｍｍに設定する。このことによって、襞部が５つの場合に上述したマスク本体１１と同様な作用及び効果を得ることができる。
【００８９】
このように、襞部の数を変更することにより、上記（２）の関係を満たす範囲において、長さＣを調整することができる。また、襞部の数が例えば４つであっても板に対する襞の重畳する量（重なる幅）を適宜変更することによって長さＣを調整することができる。具体的に、折り重なる幅が例えば７ｍｍに設定した場合と１２ｍｍに設定した場合とで長さＣを４０ｍｍ小さくすることが可能である。
【００９０】
上述した実施形態において、マスク本体１１、１１Ａ−１１Ｄを構成する下縁部１７を含む板状部に予め定めた折り畳み量のタック４１、４２を設けている。しかし、下縁部１７を含む板状部に設けるタックの折り畳み量は、予め定めた折り畳み量に限定されるものでは無く図８Ｂに示すように折り畳み量が大きなタック４６、４７であってもよい。
【００９１】
図８Ｂに示すマスク本体１１Ｅは、マスク本体１１と同様に上縁部１６側から順に上方板２４、中心板２０、第１下方板２１、第２下方板２２、第３下方板２３を有している。そして、第３下方板２３には下縁部１７を構成する第１傾斜部１７Ｌ及び第２傾斜部１７Ｒを有するタック４１、４２よりも折り畳み量が大きなタック４６、４７が設けられている。  
【００９２】
第３タック４６は、Ｙ軸に対して角度θ傾いた第１傾斜部１７Ｌを有してＹ軸より左縁部１９側に設けられ、第４タック４７はＹ軸に対して角度θ傾いた第２傾斜部１７Ｒを有してＹ軸より右縁部１８側に設けられている。
【００９３】
したがって、上述したマスク本体１１と同様に下縁部１７が顎の輪郭に近づいた略Ｖ字形状になる。そして、第２左固定部１５Ｌの中心ｃ１５Ｌから第２右固定部１５Ｒの中心ｃ１５Ｒまでの長さは上述と同様に寸法Ｂに縮まる。
【００９４】
これに対して、第３下方板２３の第３タック４６及び第４タック４７は、折り畳み量が大きいため、第１左固定部１４Ｌの中心ｃ１４Ｌから第２左固定部１５Ｌの中心ｃ１５Ｌまでの長さ寸法Ｃ及び第１右固定部１４Ｒの中心ｃ１４Ｒから第２右固定部１５Ｒの中心ｃ１５Ｒまでの長さ寸法Ｃを上記（２）の関係を満たす範囲内の例えば３４ｍｍに設定する。
【００９５】
この構成によれば、折り畳み量がタック４１、４２に比べて大きなタック４６、４７を設けた場合であっても上述したマスク本体１１と同様な作用及び効果を得ることができる。
【００９６】
本実施形態によれば、複数の板状部を設けた長方形形状のマスク部材１１０の下縁部を含む板状部に、Ｙ軸を挟んで角度θで傾斜した傾斜部を有する所望の大きさの折り畳み部を上記（１）、（２）の関係に基づいて設ける。
【００９７】
このことによって、耳紐の長さが長くなることを防止することができると共に、人の顔の輪郭形状にかかわらずマスク本体と顔面との密着性に優れ、ドーム状に拡げられたマスク本体を着用した状態において好印象の見栄えを得ることができる。
【００９８】
なお、上述した実施形態においては、マスク部材１１０にタックを設けることによって、下縁部にＹ軸を挟んで角度θ傾斜した傾斜部を設けて下縁部１７を顎の輪郭に近づいた略Ｖ字形状にしている。
【００９９】
しかし、予め下縁部１７にＹ軸を挟んで角度θで傾斜した傾斜部を設けるとともに、上記（１）、（２）の関係を設定してマスク本体を構成して上述した作用及び効果を実現するようにしてもよい。
【０１００】
なお、図示は省略するが下縁部１７を有する板状部に設けるタック用スポット４３ａ、４３ｂ、４３ｃの位置及び谷折線Ｖ１、Ｖ２、山折線Ｍ１、Ｍ２の位置を変更することによって、下縁部１７にＹ軸を挟んで傾斜部を設けて顎の輪郭に一致するＶ字形状を適宜調整することができる。
【０１０１】
また、図３Ａのマスク部材１１０をマスク本体とすることが考えられる。この場合、下縁部１７に傾斜部を形成するためのタックが設けられないことによって、Ｃ寸法に対応するＳ寸法が例えば７６ｍｍである。このとき、Ｄ／Ｃの値は２．１であり、前記（２）の関係から外れている。
【０１０２】
このマスク部材１１０をマスク本体として装着した場合、下縁部１７がユーザーの顎先端側から喉方向に沿って密着できなくなるとともに左縁部１９、右縁部１８が頬上に密着し難くなる。即ち、ユーザーの顔が実際よりも大きく見える不具合、及び、横顔の見栄えが低下する不具合が発生する。
【０１０３】
なお、以上の各実施の形態に記載した発明は、それら実施の形態および変形例に限ることなく、その他、実施段階ではその要旨を逸脱しない範囲で種々の変形を実施し得ることが可能である。
【符号の説明】
【０１０４】
１０…マスク  １１…マスク本体  １２…耳掛部  １３…左右シール線  １４Ｌ…第１左固定部  １４Ｒ…第１右固定部  １５Ｌ…第２左固定部  １５Ｒ…第２右固定部  １６…上縁部  １７…下縁部  １７Ｌ…第１傾斜部  １７Ｒ…第２傾斜部１８…右縁部  １９…左縁部  ２０…中心板  ２１…第１下方板  ２２…第２下方板  ２３…第３下方板  ２４…上方板  ２５…第１襞部  ２６…第２襞部  ２７…第３襞部  ２８…第４襞部  ３１…ノーズフィッター  ４１…第１タック  ４２…第２タック  ４３ａ、４３ｂ、４３ｃ…タック用スポット  ４４…タック用固定部  ４５…上下シール線  ５０…ユーザー  ５１…輪郭  １１０…マスク部材
【図１Ａ】
2019019435.tif 000003
【図１Ｂ】
2019019435.tif 000004
【図１Ｃ】
2019019435.tif 000005
【図２】
2019019435.tif 000006
【図３Ａ】
2019019435.tif 000007
【図３Ｂ】
2019019435.tif 000008
【図４】
2019019435.tif 000009
【図５】
2019019435.tif 000010
【図６】
2019019435.tif 000011
【図７Ａ】
2019019435.tif 000012
【図７Ｂ】
2019019435.tif 000013
【図７Ｃ】
2019019435.tif 000014
【図７Ｄ】
2019019435.tif 000015
【図７Ｅ】
2019019435.tif 000016
【図７Ｆ】
2019019435.tif 000017
【図８Ａ】
2019019435.tif 000018
【図８Ｂ】
2019019435.tif 000019